(57)【要約】【課題】一意の識別番号を利用して異常な媒体の検知精度を高め得るようにする。【解決手段】現金自動預払機１の紙幣入出金機１０は、各取引紙幣の記番号を読み取って得られた各取引記番号を他の取引記番号と比較することで、取引紙幣内において同一記番号が付された紙幣の有無を確認する。これにより紙幣入出金機１０は、取引紙幣の中に同一の記番号が付された偽券が複数含まれていた場合、その記番号と偽券記番号リストとの照合処理ではこれを偽券と判別できないものの、取引記番号同士の照合処理によりこれが偽券であることを判別できる。このような場合、紙幣入出金機１０は、当該取引紙幣を他の全ての取引紙幣と共にリジェクト庫１７へ搬送することで、偽券の利用者への受渡を未然に防止できる。【選択図】図４
2015191330.tif 000002
【特許請求の範囲】
【請求項１】
一意の識別番号が付された媒体のうち利用者との間で取引すべき取引媒体から当該識別番号をそれぞれ読み取る読取部と、
前記読取部により前記取引媒体から読み取った前記識別番号である取引識別番号と他の前記取引媒体の前記取引識別番号とを比較する比較部と、
前記取引識別番号が他の前記取引識別番号と一致した場合、所定の異常対応処理を行う異常対応部と
を具えることを特徴とする媒体取引装置。
【請求項２】
前記比較部は、
現在の取引における前記取引識別番号を記憶する記憶部と、
現在の取引における前記取引識別番号それぞれを、前記記憶部に記憶している他の全ての前記取引識別番号と照合する照合部と
をさらに具えることを特徴とする請求項１に記載の媒体取引装置。
【請求項３】
前記媒体を収納し繰り出す収納庫
をさらに具え、
前記読取部は、前記収納庫から繰り出され前記利用者に受け渡すべき前記取引媒体から前記識別番号を読み取る
ことを特徴とする請求項１に記載の媒体取引装置。
【請求項４】
前記比較部は、
現在及び過去の取引における前記取引識別番号を記憶する記憶部と、
現在の取引における前記取引識別番号それぞれを、前記記憶部に記憶している他の全ての前記取引識別番号と照合する照合部と
をさらに具えることを特徴とする請求項３に記載の媒体取引装置。
【請求項５】
前記収納庫は、前記媒体取引装置に対し着脱可能であり、
前記記憶部は、前記収納庫が最後に前記媒体取引装置に装着された後に当該収納庫から繰り出された前記取引媒体の前記取引識別番号を記憶する
ことを特徴とする請求項４に記載の媒体取引装置。
【請求項６】
前記読取部は、前記利用者から受け渡された前記取引媒体から前記識別番号を読み取り、
前記収納庫は、前記利用者から受け渡された前記取引媒体を収納し、
前記記憶部は、前記利用者から受け渡された前記取引媒体から前記読取部により読み取った前記識別番号が、前記記憶部に記憶している前記取引識別番号と一致した場合、当該一致した取引識別番号を消去する
ことを特徴とする請求項４に記載の媒体取引装置。
【請求項７】
前記読取部は、前記利用者から受け取るべき前記取引媒体から前記識別番号を読み取る
ことを特徴とする請求項１に記載の媒体取引装置。
【請求項８】
前記比較部は、
現在及び過去の取引における前記取引識別番号を記憶する記憶部と、
現在の取引における前記取引識別番号それぞれを、前記記憶部に記憶している他の全ての前記取引識別番号と照合する照合部と
をさらに具えることを特徴とする請求項７に記載の媒体取引装置。
【請求項９】
前記媒体を収納すると共に前記媒体取引装置に対し着脱可能な収納庫
をさらに具え、
前記記憶部は、前記収納庫が最後に前記媒体取引装置に装着された後に前記利用者から受け取った前記取引媒体の前記取引識別番号を記憶する
ことを特徴とする請求項８に記載の媒体取引装置。
【請求項１０】
前記媒体を収納すると共に前記利用者へ受け渡すべき前記媒体を繰り出し、且つ前記媒体取引装置に対し着脱可能な収納庫
をさらに具え、
前記読取部は、前記利用者へ受け渡すべき前記媒体から前記識別番号を読み取り、
前記記憶部は、前記利用者へ受け渡すべき前記媒体から前記読取部により読み取った前記識別番号が、前記記憶部に記憶している前記取引識別番号と一致した場合、当該一致した取引識別番号を消去する
ことを特徴とする請求項８に記載の媒体取引装置。
【請求項１１】
正常でない前記媒体に付された前記識別番号である異常識別番号を記憶する異常識別番号記憶部と、
前記取引識別番号が前記異常識別番号と一致した場合、当該取引識別番号が付された前記媒体を異常媒体として前記取引媒体から除外する異常媒体除外部と
をさらに具え、
前記比較部は、前記取引識別番号のうち前記異常識別番号を除外したものと他の前記取引媒体の前記取引識別番号とを比較する
ことを特徴とする請求項１に記載の媒体取引装置。
【請求項１２】
前記異常対応部は、前記取引識別番号が他の前記取引識別番号と一致した場合、全ての前記取引媒体を対象に前記異常対応処理を行う
ことを特徴とする請求項１に記載の媒体取引装置。
【請求項１３】
前記異常対応部は、前記取引識別番号が他の前記取引識別番号と一致した場合、新たな取引の受付を中止する
ことを特徴とする請求項１２に記載の媒体取引装置。
【請求項１４】
前記利用者との間で受け渡す前記媒体を収容する収容器と、前記収容器を閉塞し又は開放するシャッタとを有する受渡部
をさらに具え、
前記異常対応部は、前記取引識別番号が他の前記取引識別番号と一致した場合、全ての前記取引媒体を前記受渡部の前記収容器に収容させ前記シャッタを閉塞させる
ことを特徴とする請求項１３に記載の媒体取引装置。
【請求項１５】
前記媒体を収納し繰り出す収納庫
をさらに具え、
前記読取部は、前記収納庫から繰り出され前記利用者に受け渡すべき前記取引媒体から前記識別番号を読み取り、
前記異常対応部は、前記取引識別番号が他の前記取引識別番号と一致した場合、全ての前記取引媒体を元の前記収納庫へ収納させる
ことを特徴とする請求項１３に記載の媒体取引装置。
【請求項１６】
前記媒体を収納し繰り出す複数の収納庫
をさらに具え、
前記読取部は、前記収納庫から繰り出され前記利用者に受け渡すべき前記取引媒体から前記識別番号を読み取り、
前記異常対応部は、前記取引識別番号が他の前記取引識別番号と一致した場合、全ての前記取引媒体を元の前記収納庫へ戻して収納させると共に当該収納庫を収納専用に設定し、他の前記収納庫から前記利用者に受け渡すべき前記取引媒体を繰り出させる
ことを特徴とする請求項１２に記載の媒体取引装置。
【請求項１７】
一部の前記媒体を他の前記媒体と区別して収納する区別媒体収納庫
をさらに具え、
前記異常対応部は、前記取引識別番号が他の前記取引識別番号と一致した場合、全ての前記取引媒体を前記区別媒体収納庫に収納させる
ことを特徴とする請求項１２に記載の媒体取引装置。
【請求項１８】
前記媒体を収納する媒体収納庫と、
一部の前記媒体を他の前記媒体と区別して収納する区別媒体収納庫と
をさらに具え、
前記異常対応部は、前記取引識別番号が他の前記取引識別番号と一致した場合、当該一致した取引識別番号が付された前記取引媒体を前記区別媒体収納庫に収納させると共に、他の前記取引媒体を前記媒体収納庫に収納させる
ことを特徴とする請求項１２に記載の媒体取引装置。
【請求項１９】
前記異常対応部は、前記取引識別番号が他の前記取引識別番号と一致した場合、当該一致した取引識別番号が付された前記取引媒体を対象に前記異常対応処理を行う
ことを特徴とする請求項１に記載の媒体取引装置。
【請求項２０】
前記媒体を収納し繰り出す収納庫と、
一部の前記媒体を他の前記媒体と区別して収納する区別媒体収納庫と
をさらに具え、
前記異常対応部は、前記取引識別番号が他の前記取引識別番号と一致した場合、当該一致した取引識別番号が付された前記取引媒体を前記区別媒体収納庫に収納させると共に、当該区別媒体収納庫に収納した前記取引媒体を代替する新たな前記媒体を前記収納庫から繰り出して前記取引媒体に加える
ことを特徴とする請求項１９に記載の媒体取引装置。
【発明の詳細な説明】
【技術分野】
【０００１】
本発明は媒体取引装置に関し、例えば利用者に要求された紙幣等の媒体を繰り出して所望の取引を行う現金自動預払機（ＡＴＭ）に適用して好適なものである。
【背景技術】
【０００２】
従来、金融機関等で使用される現金自動預払機等においては、利用者との取引内容に応じて、例えば利用者に紙幣や硬貨等の現金を入金させ、また利用者へ現金を出金するものが広く普及している。
【０００３】
現金自動預払機としては、例えば利用者との間で紙幣の受け渡しを行う入出金部と、紙幣を搬送する搬送部と、投入された紙幣の金種及び真偽を鑑別する鑑別部と、投入された紙幣を一時的に保留する一時保留部と、紙幣を金種ごとに格納する紙幣収納庫と、全体を制御する制御部等とを有するものが提案されている。
【０００４】
現金自動預払機は、出金取引において、利用者から出金取引の開始及び出金額が指示されると、紙幣収納庫から出金額に応じた金種及び枚数の紙幣を順次繰り出し、これを１枚ずつ鑑別して金種や搬送状態等を鑑別し、出金可能な紙幣を入出金部へ順次搬送して利用者に取り出させる。
【０００５】
このとき現金自動預払機は、鑑別部により、紙幣収納庫から繰り出された紙幣について、偽造された紙幣（いわゆる偽券）であるか否かを鑑別する。具体的に鑑別部は、例えば紙幣を撮像した画像データ、紙幣の厚さ、及び磁気情報等を正常な画像データや値等とそれぞれ比較することにより、偽券であるか否かを判別する。
【０００６】
また偽券が製造される場合、印刷技術が利用されることが多く、敢えてそれぞれ異なる記番号を印刷すると手間がかかることから、同一記番号が付された偽券が印刷により多数製造されることがある。
【０００７】
そこで現金自動預払機のなかには、上述した判別処理に加えて、偽券として知られている記番号のリスト（以下これを偽券記番号リストと呼ぶ）を予め制御部内の記憶部等に記憶しておき、読み取った記番号をこの偽券記番号リストと照合することにより、各紙幣が偽券であるか否かを判別するものがある（例えば、特許文献１参照）。
【先行技術文献】
【特許文献】
【０００８】
【特許文献１】特開平７−１２１７５３号公報（第５図）
【発明の概要】
【発明が解決しようとする課題】
【０００９】
しかしながら、かかる構成の現金自動預払機では、予め偽券記番号リストに登録された記番号を読み取った記番号と照合するため、新たに偽造され当該偽券記番号リストに未登録の偽券については検知できない、という問題があった。
【００１０】
本発明は以上の点を考慮してなされたもので、一意の識別番号を利用して異常な媒体の検知精度を高め得る媒体取引装置を提案しようとするものである。
【課題を解決するための手段】
【００１１】
かかる課題を解決するため本発明の媒体取引装置においては、一意の識別番号が付された媒体のうち利用者との間で取引すべき取引媒体から当該識別番号をそれぞれ読み取る読取部と、読取部により取引媒体から読み取った識別番号である取引識別番号と他の取引媒体の取引識別番号とを比較する比較部と、取引識別番号が他の取引識別番号と一致した場合、所定の異常対応処理を行う異常対応部とを設けるようにした。
【００１２】
本発明は、各媒体に一意の識別番号が付されるため、本来的には互いに識別番号が一致する媒体が存在しないことを踏まえて、取引媒体の識別番号が他の識別番号と一致した場合に、当該媒体が異常であると判別して所定の異常対応処理を行うことができる。
【発明の効果】
【００１３】
本発明によれば、取引媒体の識別番号が他の識別番号と一致した場合に、当該媒体が異常であると判別して所定の異常対応処理を行うことができる。かくして本発明は、一意の識別番号を利用して異常な媒体の検知精度を高め得る媒体取引装置を実現できる。
【図面の簡単な説明】
【００１４】
【図１】現金自動預払機の構成を示す略線的斜視図である。
【図２】紙幣入出金機の構成を示す略線図である。
【図３】現金自動預払機及び紙幣入出金機のブロック構成を示す略線図である。
【図４】第１の実施の形態による出金処理手順を示すフローチャートである。
【図５】第１の実施の形態による取引記番号リストを示す略線図である。
【図６】第２の実施の形態による出金処理手順を示すフローチャートである。
【図７】第３の実施の形態による出金処理手順を示すフローチャートである。
【図８】第４の実施の形態による出金処理手順を示すフローチャートである。
【図９】第５の実施の形態による出金処理手順を示すフローチャートである。
【図１０】第６の実施の形態による取引記番号リストを示す略線図である。
【図１１】第６の実施の形態による出金処理手順を示すフローチャートである。
【図１２】第７の実施の形態による入金処理手順を示すフローチャートである。
【図１３】第８の実施の形態による入金処理手順を示すフローチャートである。
【発明を実施するための形態】
【００１５】
以下、発明を実施するための形態（以下実施の形態とする）について、図面を用いて説明する。
【００１６】
［１．第１の実施の形態］
［１−１．現金自動預払機の構成］
図１に外観を示すように、現金自動預払機１は、箱状の筐体２を中心に構成されており、例えば金融機関等に設置され、利用者との間で入金取引や出金取引等の現金に関する取引を行う。以下では、現金自動預払機１のうち利用者が対峙する側を前側とし、その反対を後側とし、当該前側に対峙した利用者から見て左及び右をそれぞれ左側及び右側とし、さらに上側及び下側を定義して説明する。
【００１７】
筐体２は、その前側に利用者が対峙した状態で紙幣の投入やタッチパネルによる操作等をしやすい箇所に顧客応対部３が設けられている。顧客応対部３は、金融機関の顧客等の利用者との間で現金や通帳等を直接やり取りすると共に、取引に関する情報の通知や操作指示の受付を行うようになっており、カード入出口４、入出金口５、操作表示部６、テンキー７、及びレシート発行口８が設けられている。
【００１８】
カード入出口４は、キャッシュカード等の各種カードが挿入又は排出される部分である。カード入出口４の奥側には、各種カードに磁気記録された口座番号等の読み取りを行うカード処理部４Ａ（図３）が設けられている。入出金口５は、利用者が入金する紙幣が投入されると共に、利用者へ出金する紙幣が排出される部分である。
【００１９】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部８Ａ（図３）が設けられている。
【００２０】
筐体２内には、現金自動預払機１全体を統括制御する主制御部９や、紙幣に関する種々の処理を行う紙幣入出金機１０等が設けられている。
【００２１】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部９Ｍを有しており、この記憶部９Ｍに種々の情報を記憶させる。
【００２２】
紙幣入出金機１０は、図２に側面図を示すように、その内部に紙幣制御部１１、入出金部１２、搬送部１３、鑑別部１４、一時保留部１５、紙幣収納庫１６、リジェクト庫１７、取忘収納庫１８及び偽券収納庫１９が設けられている。
【００２３】
また紙幣入出金機１０が取り扱う紙幣には、記番号が付されている。この記番号は、各紙幣に一意に割り当てられた識別番号であり、複数の文字や記号の組み合わせで構成されている。この記番号は、個別の紙幣を特定する場合等に利用される。
【００２４】
紙幣制御部１１は、図３に現金自動預払機１全体を含む紙幣入出金機１０のブロック構成を示すように、主制御部９と連携しながら、当該紙幣入出金機１０を統括的に制御する。紙幣制御部１１は、主制御部９と同様、図示しないＣＰＵを中心に構成されており、所定のプログラムを実行することにより、入金処理や出金処理等、種々の処理を行う。
【００２５】
また紙幣制御部１１は、内部にＲＡＭ及びフラッシュメモリ等でなる記憶部１１Ｍを有しており、この記憶部１１Ｍに出金プログラム等の各種プログラムや紙幣に関する情報等の種々の情報を記憶させる。また記憶部１１Ｍは、既に知られている偽券の記番号が記載された偽券記番号リスト（図示せず）を予め記憶している。さらに紙幣制御部１１の内部には、照合部１１Ｃが設けられている。この照合部１１Ｃは、２個の記番号を照らし合わせて両者が一致するか否かを判別する。
【００２６】
入出金部１２（図２）は、上方が開放された箱状の収容器１２Ａを中心に構成されている。収容器１２Ａは、利用者へ受け渡すべき紙幣又は利用者から受け渡される紙幣を前後方向に沿って整列した状態で収容する。この収容器１２Ａの上方には、開閉可能なシャッタ１２Ｂが設けられている
【００２７】
搬送部１３は、図示しないモータ、ローラ、ベルト及びガイド等により紙幣入出金機１０内の各部を結ぶような搬送経路を形成している。この搬送部１３は、ローラを適宜回転させ、またベルトを適宜走行させることにより、紙幣の短辺に沿った方向を進行方向として、この搬送経路に沿って搬送する。
【００２８】
鑑別部１４は、内部に光学センサ、イメージセンサや磁気センサ等の各種センサを有しており、その内部で紙幣を搬送しながら、各センサによる鑑別結果を得て紙幣制御部１１へ供給する。これに応じて紙幣制御部１１は、取得した鑑別結果に基づき、また読み取った記番号を偽券記番号リストと比較すること等により、当該紙幣の金種及び真偽、並びに損傷の程度等を判別した上で、各紙幣の搬送先を決定する。
【００２９】
一時保留部１５は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出す。因みに一時保留部１５は、最大で例えば２００枚の紙幣を収納することができる。
【００３０】
紙幣収納庫１６（１６Ａ、１６Ｂ、１６Ｃ及び１６Ｄ）は、内部に多数の紙幣を集積して収納する。この紙幣収納庫１６は、例えば入金取引において、鑑別部１４において損傷の程度が小さく再利用可能と鑑別された紙幣が金種ごとに振り分けられ搬送部１３により搬送されてくると、これを取り込んで収納する。また紙幣収納庫１６は、出金取引において、紙幣制御部１１の制御に基づき、指示された枚数の紙幣を１枚ずつに分離して繰り出し、搬送部１３に順次受け渡す。
【００３１】
さらに各紙幣収納庫１６は、紙幣入出金機１０の筐体に対しそれぞれ着脱可能に構成されている。例えば紙幣収納庫１６は、収納している紙幣を全て繰り出した場合や１日の営業時間の終了後等に、紙幣入出金機１０から取り出され、新たな紙幣が収納された上で、再び紙幣入出金機１０に装着される。
【００３２】
リジェクト庫１７は、鑑別部１４において損傷の程度が大きく再利用すべきでないと鑑別された紙幣（いわゆるリジェクト紙幣）を収納する。取忘収納庫１８は、利用者が入出金部１２から取り忘れた紙幣を収納する。偽券収納庫１９は、鑑別部１４の鑑別結果を基に偽券と判別された紙幣（すなわち偽券）を収納する。
【００３３】
［１−２．入金処理］
次に、紙幣入出金機１０における紙幣の入金処理について説明する。例えば現金自動預払機１は、利用者と取引処理を行い得る状態、いわゆる運用状態にあるとき、操作表示部６（図１）に所定のメニュー画面（図示せず）を表示した状態で利用者から各種取引処理を開始する操作指示を待ち受けている。
【００３４】
現金自動預払機１の主制御部９は、利用者から入金取引を開始する操作指示を受け付けると、紙幣入出金機１０の紙幣制御部１１に対し入金処理の開始を指示する。これに応じて紙幣制御部１１は、記憶部１１Ｍから所定の入金プログラムを読み出して実行することにより、入金処理を開始する。
【００３５】
まず紙幣制御部１１は、入出金部１２のシャッタ１２Ｂを開いて収容器１２Ａ内へ紙幣を投入させる。入出金部１２は、利用者により収容器１２Ａに紙幣が投入された上で、操作表示部６を介して取込開始の操作指示を受け付けると、シャッタ１２Ｂを閉塞し、収容器１２Ａから紙幣を１枚ずつ取り込んで搬送部１３へ受け渡す。搬送部１３は、紙幣を短辺方向に沿って進行させ、鑑別部１４へ搬送する。
【００３６】
鑑別部１４は、その内部で紙幣を搬送しながら、各センサによる検知結果を紙幣制御部１１へ通知する。紙幣制御部１１は、鑑別部１４から得られた鑑別結果や読み取った記番号等を基に、紙幣の金種及び真偽、並びに損傷の程度等を判別した上で、各紙幣の判別結果を基にその搬送先を決定する。
【００３７】
具体的に紙幣制御部１１は、正当であり取引すべきと鑑別された紙幣を搬送部１３により一時保留部１５へ搬送させ収納させる一方、取引すべきでないと鑑別されたリジェクト紙幣を搬送部１３により入出金部１２へ搬送し、利用者へ返却する。
【００３８】
やがて紙幣制御部１１は、入出金部１２に投入された全ての紙幣を取り込み終えると、鑑別部１４から得られた鑑別結果を基に入金額を算出し、これを操作表示部６（図１）に表示して利用者に提示して、入金取引を継続するか否かを問い合わせる。ここで利用者から入金取引を継続する旨の指示を受け付けた場合、紙幣制御部１１は、一時保留部１５に保留している紙幣を搬送部１３により鑑別部１４へ搬送してその金種及び損傷の程度等を鑑別させ、その鑑別結果を取得する。
【００３９】
続いて紙幣制御部１１は、搬送部１３を制御することにより、紙幣の損傷の程度が小さい紙幣については、これを再利用すべき紙幣として、搬送部１３により金種ごとに振り分けた上で紙幣収納庫１６へ搬送して収納させる。その一方で紙幣制御部１１は、損傷の程度が大きい紙幣を再利用すべきでないリジェクト紙幣としてリジェクト庫１７へ搬送して収納させる。また紙幣制御部１１は、偽造されたと判断した紙幣（すなわち偽券）を偽券収納庫１９へ搬送して収納させる。
【００４０】
一方、紙幣制御部１１は、利用者から入金取引を継続しない旨の指示を受け付けた場合、一時保留部１５に保留している全ての紙幣を順次繰り出させ、これを搬送部１３により入出金部１２へ順次搬送して利用者に返却する。紙幣制御部１１は、全ての紙幣を収容器１２Ａ内に収容すると、シャッタ１２Ｂを開放して紙幣を利用者に取り出させる。
【００４１】
このとき紙幣制御部１１は、シャッタ１２Ｂを開放してから所定の待機時間（例えば３０秒間）が経過しても収容器１２Ａ内に紙幣が残っていた場合、利用者が当該紙幣を取り忘れて立ち去ったものと、すなわち紙幣の取り忘れが発生したものと判断する。続いて紙幣制御部１１は、収容器１２Ａ内の紙幣を１枚ずつ取り込み、搬送部１３により鑑別部１４へ搬送して各紙幣を鑑別させた上で、一時保留部１５へ搬送した後、全ての紙幣を取忘収納庫１８へ搬送して収納させ、次の取引の開始を待ち受ける。
【００４２】
このように紙幣入出金機１０は、入金取引において利用者から入金された紙幣を鑑別部１４により１枚ずつ鑑別し、正当であり再利用可能な紙幣を金種ごとに振り分けて紙幣収納庫１６に収納させる一方、再利用すべきでないリジェクト紙幣や偽券をそれぞれリジェクト庫１７や偽券収納庫１９に収納させる。
【００４３】
［１−３．出金処理］
次に、紙幣入出金機１０における紙幣の出金処理について説明する。現金自動預払機１の主制御部９は、操作表示部６（図１）に上述したメニュー画面を表示した状態で、利用者から出金取引を開始する操作指示を受け付けると、紙幣入出金機１０の紙幣制御部１１に対し出金処理の開始を指示する。これに応じて紙幣制御部１１は、記憶部１１Ｍから出金プログラムを読み出して実行することにより、図４に示す出金処理手順ＲＴ１を開始し、ステップＳＰ１へ移る。
【００４４】
ステップＳＰ１において紙幣制御部１１は、主制御部９（図３）と連携しながら、操作表示部６を介して利用者から出金額の入力操作を受け付け、次のステップＳＰ２へ移り入力された出金額に応じた金種及び枚数の紙幣を決定して、その次のステップＳＰ３へ移る。
【００４５】
ステップＳＰ３において紙幣制御部１１は、決定した金種及び枚数の紙幣を紙幣収納庫１６から順次繰り出し、搬送部１３により鑑別部１４を経由して入出金部１２へ搬送させ、次のステップＳＰ４へ移る。ステップＳＰ４において紙幣制御部１１は、鑑別部１４により搬送中の紙幣を順次鑑別させ、その鑑別結果を取得して記番号を読み取った上で、次のステップＳＰ５へ移る。
【００４６】
因みにこのとき紙幣制御部１１は、複数の紙幣が重なって搬送された（すなわち重送された）紙幣のように正常と判別できなかった紙幣をリジェクト紙幣としてリジェクト庫１７へ搬送させる。また紙幣制御部１１は、偽券と判別された紙幣、すなわち紙幣制御部１１が予め記憶している偽券記番号リストと記番号が一致した紙幣については、偽券収納庫１９へ搬送させる。
【００４７】
その一方で紙幣制御部１１は、正常な紙幣を出金額に相当する金額分だけ入出金部１２へ搬送させ、収容器１２Ａ内に収容する。以下では、このようにして入出金部１２へ搬送された紙幣、すなわち入金額に応じて定められた金種及び枚数の紙幣であり、この出金取引において利用者へ出金すべき紙幣を取引紙幣と呼ぶ。
【００４８】
ステップＳＰ５において紙幣制御部１１は、図５に示すように、全ての取引紙幣の記番号を取引記番号リストＬ１に格納し、この取引記番号リストＬ１を記憶部１１Ｍに記憶させて、次のステップＳＰ６へ移る。以下、このように記憶させた取引紙幣の記番号を取引記番号と呼ぶ。因みに取引記番号リストＬ１には、管理上必要となる順序情報に対応付けて、各紙幣の記番号及び金種を表す情報が格納される。
【００４９】
ところで、仮に紙幣収納庫１６から繰り出した紙幣の中に偽券記番号リストと記番号が一致する紙幣、すなわち偽券が含まれていたとしても、ステップＳＰ３において偽券収納庫１９に収納されるため、入出金部１２内の取引紙幣からは既に除外されている。このため、このような偽券の記番号は、取引記番号リストＬ１には格納されない。
【００５０】
ステップＳＰ６において紙幣制御部１１は、照合部１１Ｃにより、各取引記番号を、取引記番号リストＬ１に格納している他の全ての取引記番号とそれぞれ照合し、次のステップＳＰ７へ移る。これにより紙幣制御部１１は、入出金部１２に収納している各取引紙幣の記番号を、他の全ての取引紙幣の記番号とそれぞれ比較することになる。因みにこのとき紙幣制御部１１は、取引紙幣を金種ごとに分類した上で、同一金種の記番号を比較する。
【００５１】
ステップＳＰ７において紙幣制御部１１は、取引記番号の中に他の取引記番号と同一の記番号があったか否か、すなわち取引紙幣の中に互いに同一の記番号が付されたものが含まれていたか否かを判定する。
【００５２】
ここで肯定結果が得られると、このことは本来であれば一意に付されており同一の記番号が付された紙幣が存在しないところ、実際の取引紙幣の中に同一の記番号が付された紙幣が存在していることを表す。これは、同一の記番号が付された取引紙幣が新たに偽造された紙幣（偽券）である可能性が高いため、これらの取引紙幣を利用者へ受け渡さずに何らかの異常対応処理を行うべきことを意味している。このとき紙幣制御部１１は、次のステップＳＰ８へ移る。
【００５３】
ステップＳＰ８において紙幣制御部１１は、搬送部１３を制御することにより、入出金部１２内に収容されている取引紙幣、すなわち偽券及び正常な紙幣の双方を含む全ての取引紙幣をリジェクト庫１７へ搬送し、次のステップＳＰ９へ移る。
【００５４】
ステップＳＰ９において紙幣制御部１１は、操作表示部６（図１）に所定の通知画面を表示することにより、利用者に対し内部処理で異常が発生したために現在の出金取引を中止する旨、及び出金処理の最初からのやり直しを依頼する旨を通知して次のステップＳＰ１１へ移る。
【００５５】
一方、ステップＳＰ７において否定結果が得られると、このことは全ての取引紙幣の記番号が互いに相違しており、取引紙幣に偽券が含まれていないことを表している。このとき紙幣制御部１１は、次のステップＳＰ１０へ移る。
【００５６】
ステップＳＰ１０において紙幣制御部１１は、入出金部１２のシャッタ１２Ｂを開放させて利用者に収容器１２Ａ内の取引紙幣を取り出させ、当該シャッタ１２Ｂを閉塞させた後、次のステップＳＰ１１へ移る。
【００５７】
因みに紙幣制御部１１は、ステップＳＰ１０においてシャッタ１２Ｂを開放してから所定の待機時間（例えば３０秒間）が経過しても収容器１２Ａ内に紙幣が残っていた場合、入金処理の場合と同様、紙幣の取り忘れが発生したものと判断する。このとき紙幣制御部１１は、収容器１２Ａ内の紙幣を取り込み、鑑別部１４により各紙幣を鑑別させた上で取忘収納庫１８へ搬送する。
【００５８】
ステップＳＰ１１において紙幣制御部１１は、取引記番号リストＬ１（図５）に格納した状態で記憶部１１Ｍに記憶している取引記番号を全て消去することにより次回の出金取引に備え、次のステップＳＰ１２へ移って出金処理手順ＲＴ１を終了する。
【００５９】
［１−４．動作及び効果］
以上の構成において、第１の実施の形態による現金自動預払機１の紙幣入出金機１０は、鑑別部１４により全ての取引紙幣の記番号を読み取り、これらを取引記番号として取引記番号リストＬ１に格納して記憶部１１Ｍに記憶させる。さらに紙幣入出金機１０は、紙幣制御部１１により、各取引記番号を他の取引記番号とそれぞれ比較することで、取引紙幣内において同一の記番号が付された紙幣の有無を確認する。
【００６０】
これにより紙幣入出金機１０は、取引紙幣の中に同一の記番号が付されたものが複数含まれていた場合、このことを検知できる。すなわち紙幣入出金機１０は、例えば新たに偽造され同一の記番号が付されたた紙幣が取引紙幣に含まれていた場合、その記番号と偽券記番号リストとの照合処理ではこれを偽券と判別できないものの、取引記番号を用いた照合処理によりこれが偽券であることを判別できる。この結果、紙幣入出金機１０は、偽券の検知精度を従来よりも格段に高めることができる。
【００６１】
また紙幣入出金機１０は、取引紙幣の中に同一記番号の紙幣が複数含まれていた場合、異常対応処理として、全ての取引紙幣をリジェクト庫１７へ搬送して収納させ、運用を継続する。このため紙幣入出金機１０は、その後に金融機関の職員や保守作業員等に保守作業を特に行わせること無く新たな取引処理を開始できるため、現金自動預払機１の稼働率を低下させずに済む。
【００６２】
このとき紙幣入出金機１０は、全ての取引紙幣を一切出金すること無くリジェクト庫１７へ搬送して収納するため、例えば金融機関の職員や保守作業者等に対し、事後的に全ての取引紙幣を参照しながら詳細な状況の確認等を行わせることができる。
【００６３】
また紙幣入出金機１０は、１回の取引処理における全ての取引紙幣についてのみ互いの記番号を照合するため、照合対象となる記番号の数を比較的少なく抑え、その照合処理を比較的短い時間で完了することができる。このため紙幣入出金機１０は、従来と比較して偽券の検知精度を高めながらも、出金取引における利用者の待ち時間を殆ど増加させることが無い。
【００６４】
さらに紙幣入出金機１０は、紙幣収納庫１６から繰り出した紙幣の記番号が偽券記番号リストと一致した場合、当該紙幣を予め偽券と判別して偽券収納庫１９に収納させて入出金部１２へは搬送しないため、これを取引紙幣とはしない。このため紙幣入出金機１０は、偽券記番号リストに格納されている、既に偽券と判明している紙幣の記番号を取引記番号リストＬ１に重複して格納することが無く、紙幣制御部１１により重複した照合処理を行わずに済む。
【００６５】
そのうえ紙幣入出金機１０は、出金処理において同一の記番号が付された紙幣が含まれており紙幣が出金されなかった場合、利用者に対し、直前の出金取引における操作と異なる操作や作業を行わせること無く、同一の出金取引の手続きを再度行わせれば良いため、操作手順等において混乱させる恐れがない。
【００６６】
以上の構成によれば、第１の実施の形態による現金自動預払機１の紙幣入出金機１０は、各取引紙幣の記番号を読み取って得られた各取引記番号を他の取引記番号と比較することで、取引紙幣内において同一記番号が付された紙幣の有無を確認する。これにより紙幣入出金機１０は、取引紙幣の中に同一の記番号が付された偽券が複数含まれていた場合、その記番号と偽券記番号リストとの照合処理ではこれを偽券と判別できないものの、取引記番号同士の照合処理によりこれが偽券であることを判別できる。このような場合、紙幣入出金機１０は、当該取引紙幣を他の全ての取引紙幣と共にリジェクト庫１７へ搬送することで、偽券の利用者への受渡を未然に防止できる。
【００６７】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２及び図３）は、第１の実施の形態による紙幣入出金機１０と比較して、紙幣制御部１１に代わる紙幣制御部１１１を有する点において相違するものの、他の点については同様に構成されている。
【００６８】
紙幣制御部１１１は、第１の実施の形態による紙幣制御部１１と同様、図示しないＣＰＵを中心に構成され、所定のプログラムを読み出して実行することにより、入金処理や出金処理等、種々の処理を行う。また紙幣制御部１１１は、記憶部１１Ｍに代わる記憶部１１１Ｍを有している。記憶部１１１Ｍは、記憶部１１Ｍと同様、各種プログラムや鑑別情報等の種々の情報を記憶するものの、第１の実施の形態と一部異なる出金プログラムを記憶している。
【００６９】
因みに紙幣入出金機１１０は、入金取引において、第１の実施の形態と同様の入金プログラムに従って同様の入金処理を実行する。
【００７０】
［２−１．出金処理］
次に、紙幣入出金機１１０における紙幣の出金処理について説明する。現金自動預払機１０１において利用者との間で出金取引が行われる場合、紙幣入出金機１１０の紙幣制御部１１１は、記憶部１１１Ｍから出金プログラムを読み出して実行することにより、図４と対応する図６に示す出金処理手順ＲＴ２を開始してステップＳＰ２１へ移る。
【００７１】
紙幣制御部１１１は、ステップＳＰ２１〜ＳＰ２７においてステップＳＰ１〜ＳＰ７（図４）と同様の処理を行う。ステップＳＰ２７において肯定結果が得られると、このとき紙幣制御部１１１は、次のステップＳＰ２８へ移る。
【００７２】
ステップＳＰ２８において紙幣制御部１１１は、入出金部１２内に収容している全ての取引紙幣を一時保留部１５へ搬送し、次のステップＳＰ２９へ移る。ステップＳＰ２９において紙幣制御部１１１は、一時保留部１５に収納している取引紙幣を１枚ずつ鑑別部１４へ搬送することにより鑑別させ、その鑑別結果を取得して記番号を読み取った上で、次のステップＳＰ３０へ移る。
【００７３】
ステップＳＰ３０において紙幣制御部１１１は、このとき鑑別部１４において鑑別した取引紙幣が、他と同一の記番号が付された取引紙幣であるか否か、すなわち偽券記番号リストには未登録であるものの偽券と判別された取引紙幣であるか否かを判定する。ここで肯定結果が得られると、紙幣制御部１１１は、次のステップＳＰ３１へ移ってこの取引紙幣を搬送部１３により偽券収納庫１９へ搬送させた後、その次のステップＳＰ３３へ移る。
【００７４】
一方、ステップＳＰ３０において否定結果が得られると、このことはこの取引紙幣が正常な紙幣であり、次回以降の出金取引において利用者に出金するのに相応しいことを表している。このとき紙幣制御部１１１は、次のステップＳＰ３２へ移り、搬送部１３によりこの取引紙幣をその金種に応じた適切な紙幣収納庫１６へ搬送させ、その次のステップＳＰ３３へ移る。
【００７５】
ステップＳＰ３３において紙幣制御部１１１は、一時保留部１５から全ての取引紙幣を偽券収納庫１９又は紙幣収納庫１６へ搬送したか否かを判定する。ここで否定結果が得られると、このとき紙幣制御部１１１は、残りの取引紙幣を搬送するべく、再度ステップＳＰ２９へ戻って一連の処理を繰り返す。
【００７６】
一方、ステップＳＰ３３において肯定結果が得られると、紙幣制御部１１１は次のステップＳＰ３４へ移り、ステップＳＰ９（図４）と同様、操作表示部６（図１）に所定の通知画面を表示することにより、利用者に対し内部の処理で異常が発生したために現在の出金取引を中止する旨、及び出金処理の最初からのやり直しを依頼する旨を通知して次のステップＳＰ３６へ移る。
【００７７】
また、ステップＳＰ２７において否定結果が得られると、このことは全ての取引紙幣の記番号が互いに相違しており、取引紙幣に偽券が含まれていないことを表している。このとき紙幣制御部１１１は、次のステップＳＰ３５へ移り、ステップＳＰ１０（図４）と同様、入出金部１２のシャッタ１２Ｂを開閉して利用者に収容器１２Ａ内の取引紙幣を取り出させた後、次のステップＳＰ３６へ移る。
【００７８】
ステップＳＰ３６において紙幣制御部１１１は、ステップＳＰ１１（図４）と同様、記憶部１１１Ｍに記憶している取引記番号を全て消去することにより次回の出金取引に備え、次のステップＳＰ３７へ移って出金処理手順ＲＴ２を終了する。
【００７９】
［２−２．動作及び効果］
以上の構成において、第２の実施の形態による現金自動預払機１０１の紙幣入出金機１１０は、鑑別部１４により全ての取引紙幣の記番号を読み取り、これらを取引記番号として取引記番号リストＬ１に格納して記憶部１１１Ｍに記憶させる。さらに紙幣入出金機１１０は、紙幣制御部１１１により、各取引記番号を他の取引記番号とそれぞれ比較することで、取引紙幣内において同一記番号が付された紙幣の有無を確認する。
【００８０】
これにより紙幣入出金機１１０は、第１の実施の形態と同様、取引紙幣の中に同一の記番号が付されたものが複数含まれていた場合、このことを検知して、これらの取引紙幣が偽券であることを判別できる。
【００８１】
また紙幣入出金機１０は、取引紙幣の中に同一記番号の紙幣が複数含まれていた場合、異常対応処理として、同一記番号が付されており偽券であった取引紙幣のみを偽券収納庫１９へ搬送して収納させる一方、他の正常な取引紙幣を紙幣収納庫１６へ戻す。このため紙幣入出金機１０は、正常と判別された紙幣を次回以降の出金取引において出金させることができ、紙幣を極力有効に活用できる。
【００８２】
その他の点についても、第２の実施の形態による紙幣入出金機１１０は、第１の実施の形態による紙幣入出金機１０と同様の作用効果を奏し得る。
【００８３】
以上の構成によれば、第２の実施の形態による現金自動預払機１０１の紙幣入出金機１１０は、各取引紙幣の記番号を読み取って得られた各取引記番号を他の取引記番号と比較することで、取引紙幣内において同一記番号が付された紙幣の有無を確認する。これにより紙幣入出金機１１０は、取引紙幣の中に新たに偽造され同一の記番号が付された偽券が複数含まれていた場合、取引記番号同士の照合処理によりこれが偽券であることを判別でき、この偽券を偽券収納庫１９へ収納することで利用者への受渡を未然に防ぐと共に、他の正常な紙幣を紙幣収納庫１６へ戻して有効に再利用できる。
【００８４】
［３．第３の実施の形態］
第３の実施の形態による現金自動預払機２０１（図１）は、第１の実施の形態による現金自動預払機１と比較して、紙幣入出金機１０に代わる紙幣入出金機２１０を有する点において相違するものの、他の点については同様に構成されている。紙幣入出金機２１０（図２及び図３）は、第１の実施の形態による紙幣入出金機１０と比較して、紙幣制御部１１に代わる紙幣制御部２１１を有する点において相違するものの、他の点については同様に構成されている。
【００８５】
紙幣制御部２１１は、第１の実施の形態による紙幣制御部１１と同様、図示しないＣＰＵを中心に構成されており、所定のプログラムを読み出して実行することにより、入金処理や出金処理等、種々の処理を行う。また紙幣制御部２１１は、記憶部１１Ｍに代わる記憶部２１１Ｍを有している。記憶部２１１Ｍは、記憶部１１Ｍと同様、各種プログラムや鑑別情報等の種々の情報を記憶するものの、第１及び第２の実施の形態と一部異なる出金プログラムを記憶している。
【００８６】
因みに紙幣入出金機２１０は、入金取引において、第１の実施の形態と同様の入金プログラムに従って同様の入金処理を実行する。
【００８７】
［３−１．出金処理］
次に、紙幣入出金機２１０における紙幣の出金処理について説明する。現金自動預払機２０１において利用者との間で出金取引が行われる場合、紙幣入出金機２１０の紙幣制御部２１１は、記憶部２１１Ｍから出金プログラムを読み出して実行することにより、図４及び図６と対応する図７に示す出金処理手順ＲＴ３を開始してステップＳＰ４１へ移る。
【００８８】
紙幣制御部２１１は、ステップＳＰ４１〜ＳＰ５１においてステップＳＰ２１〜ＳＰ３１（図６）と同様の処理を行い、次のステップＳＰ５３へ移る。一方、ステップＳＰ５０において否定結果が得られると、このことはこの取引紙幣が正常であり、利用者へ出金すべき取引紙幣であることを表している。このとき紙幣制御部２１１は、次のステップＳＰ５２へ移って搬送部１３によりこの取引紙幣を入出金部１２へ搬送し、その次のステップＳＰ５３へ移る。
【００８９】
ステップＳＰ５３において紙幣制御部２１１は、ステップＳＰ３３（図６）と同様、一時保留部１５から全ての取引紙幣を偽券収納庫１９又は入出金部１２へ搬送したか否かを判定する。ここで否定結果が得られると、このとき紙幣制御部２１１は、残りの取引紙幣を搬送するべく、再度ステップＳＰ４９へ戻って一連の処理を繰り返す。
【００９０】
一方、ステップＳＰ５３において肯定結果が得られると、このとき入出金部１２は、取引紙幣のうち同一の記番号が付された偽券のみが偽券収納庫１９へ搬送され、残りの正常な取引紙幣のみが残された状態、すなわち偽券であった取引紙幣の分だけ出金額よりも少ない金額分の取引紙幣が収納された状態となっている。このとき紙幣制御部２１１は、次のステップＳＰ５４へ移る。
【００９１】
ステップＳＰ５４において紙幣制御部２１１は、出金額から不足している金額に相当する金種及び枚数の紙幣、すなわち記番号が同一であるために偽券として偽券収納庫１９へ収納された紙幣に代わる紙幣を、紙幣収納庫１６から繰り出させ、搬送部１３により鑑別部１４を経由して入出金部１２へ搬送させて、再度ステップＳＰ４４へ戻る。これにより紙幣制御部２１１は、新たに紙幣収納庫１６から繰り出した紙幣についても他の取引紙幣の記番号と照合させる。
【００９２】
また、ステップＳＰ４７において否定結果が得られると、このことは入出金部１２内に、出金額に相当する金種及び枚数でなり、互いに異なる記番号が付された正常な取引紙幣が収納されていることを表している。このとき紙幣制御部２１１は、次のステップＳＰ５５へ移り、ステップＳＰ３５と同様に入出金部１２のシャッタ１２Ｂを開閉させて取引紙幣を利用者に取り出させ、次のステップＳＰ５６へ移る。
【００９３】
ステップＳＰ５６において紙幣制御部２１１は、ステップＳＰ３６（図６）と同様、記憶部２１１Ｍに記憶している取引記番号を全て消去することにより次回の出金取引に備え、次のステップＳＰ５７へ移って出金処理手順ＲＴ３を終了する。
【００９４】
［３−２．動作及び効果］
以上の構成において、第３の実施の形態による現金自動預払機２０１の紙幣入出金機２１０は、鑑別部１４により全ての取引紙幣の記番号を読み取り、これらを取引記番号として取引記番号リストＬ１に格納して記憶部２１１Ｍに記憶させる。さらに紙幣入出金機２１０は、紙幣制御部２１１により、各取引記番号を他の取引記番号とそれぞれ比較することで、取引紙幣内において同一記番号が付された紙幣の有無を確認する。
【００９５】
これにより紙幣入出金機２１０は、第１及び第２の実施の形態と同様、取引紙幣の中に同一の記番号が付されたものが複数含まれていた場合、このことを検知して、これらの取引紙幣が偽券であることを判別できる。
【００９６】
また紙幣入出金機２１０は、取引紙幣の中に同一記番号の紙幣が複数含まれていた場合、異常対応処理として、同一記番号が付されており偽券と判別した取引紙幣のみを偽券収納庫１９へ搬送して収納させる一方、他の取引紙幣を入出金部１２に残し、不足額分の紙幣を改めて紙幣収納庫１６から繰り出させる。このため紙幣入出金機２１０は、最終的に出金額に相当する金種及び枚数であり、且つ偽券が含まれない正常な取引紙幣を利用者に出金でき、第１及び第２の実施の形態のように当該利用者に出金取引を再度行わせる必要が無い。
【００９７】
さらに紙幣入出金機２１０は、第２の実施の形態と同様、同一の記番号が付された取引紙幣、すなわち偽券のみを偽券収納庫１９へ搬送して収納させる一方、他の正常な紙幣を入出金部１２に残して最終的に出金させるため、正常な紙幣をできる限り有効に活用できる。
【００９８】
そのうえ紙幣入出金機２１０は、不足額分の紙幣を紙幣収納庫１６から繰り出した際にも、当該紙幣の記番号を読み取り他の出金紙幣の記番号と照合する。このため紙幣入出金機２１０は、例えば同一の記番号が付された紙幣が紙幣収納庫１６に大量に収納されている場合にも、繰り出す度にこれらが偽券であることを検知でき、またその度に偽券収納庫１９に収納できるので、この偽券を誤って利用者に出金することを確実に防止できる。
【００９９】
その他の点についても、第３の実施の形態による紙幣入出金機２１０は、第１の実施の形態による紙幣入出金機１０と同様の作用効果を奏し得る。
【０１００】
以上の構成によれば、第３の実施の形態による現金自動預払機２０１の紙幣入出金機２１０は、各取引紙幣の記番号を読み取って得られた各取引記番号を他の取引記番号と比較することで、取引紙幣内において同一記番号が付された紙幣の有無を確認する。これにより紙幣入出金機２１０は、取引紙幣の中に新たに偽造され同一の記番号が付された偽券が複数含まれていた場合、取引記番号同士の照合処理によりこれが偽券であることを判別でき、この偽券を偽券収納庫１９へ収納することで利用者への受渡を未然に防ぐと共に、これによる不足分を他の紙幣により補って出金額分の正常な取引紙幣を出金することができる。
【０１０１】
［４．第４の実施の形態］
第４の実施の形態による現金自動預払機３０１（図１）は、第１の実施の形態による現金自動預払機１と比較して、紙幣入出金機１０に代わる紙幣入出金機３１０を有する点において相違するものの、他の点については同様に構成されている。紙幣入出金機３１０（図２及び図３）は、第１の実施の形態による紙幣入出金機１０と比較して、紙幣制御部１１に代わる紙幣制御部３１１を有する点において相違するものの、他の点については同様に構成されている。
【０１０２】
紙幣制御部３１１は、第１の実施の形態による紙幣制御部１１と同様、図示しないＣＰＵを中心に構成されており、所定のプログラムを読み出して実行することにより、入金処理や出金処理等、種々の処理を行う。また紙幣制御部３１１は、記憶部１１Ｍに代わる記憶部３１１Ｍを有している。記憶部３１１Ｍは、記憶部１１Ｍと同様、各種プログラムや鑑別情報等の種々の情報を記憶するものの、第１〜第３の実施の形態と一部異なる出金プログラムを記憶している。
【０１０３】
因みに紙幣入出金機３１０は、入金取引において、第１の実施の形態と同様の入金プログラムに従って同様の入金処理を実行する。
【０１０４】
［４−１．出金処理］
次に、紙幣入出金機３１０における紙幣の出金処理について説明する。現金自動預払機３０１において利用者との間で出金取引が行われる場合、紙幣入出金機３１０の紙幣制御部３１１は、記憶部３１１Ｍから出金プログラムを読み出して実行することにより、図４と対応する図８に示す出金処理手順ＲＴ４を開始してステップＳＰ６１へ移る。
【０１０５】
紙幣制御部３１１は、ステップＳＰ６１〜ＳＰ６７においてステップＳＰ１〜ＳＰ７（図４）と同様の処理を行う。ステップＳＰ６７において肯定結果が得られると、このとき紙幣制御部３１１は、次のステップＳＰ６８へ移る。
【０１０６】
ステップＳＰ６８において紙幣制御部３１１は、入出金部１２内に収容している全ての取引紙幣、すなわち偽券を含む全紙幣をそれぞれ元の紙幣収納庫１６へ搬送して収納させ、次のステップＳＰ６９へ移る。これにより紙幣収納庫１６は、この出金取引を開始する前の状態に戻る。
【０１０７】
ステップＳＰ６９において紙幣制御部３１１は、ステップＳＰ９（図４）と同様、操作表示部６（図１）に所定の通知画面を表示することにより、利用者に対し内部の処理で異常が発生したために現在の出金取引を中止して現金自動預払機３０１の運用を停止する旨、及び他の現金自動預払機の利用を依頼する旨等を通知し、次のステップＳＰ７２へ移って出金処理手順ＲＴ４を終了する。因みにこの場合、紙幣制御部３１１は、記憶部３１１Ｍに記憶している取引記番号を消去せずに保持している。
【０１０８】
一方、ステップＳＰ６７において否定結果が得られると、このことは全ての取引紙幣の記番号が互いに相違しており、取引紙幣に偽券が含まれていないことを表している。このとき紙幣制御部３１１は、次のステップＳＰ７０へ移り、ステップＳＰ１０（図４）と同様、入出金部１２のシャッタ１２Ｂを開閉して利用者に収容器１２Ａ内の取引紙幣を取り出させた後、次のステップＳＰ７１へ移る。
【０１０９】
ステップＳＰ７１において紙幣制御部３１１は、ステップＳＰ１１（図４）と同様、記憶部３１１Ｍに記憶している取引記番号を全て消去することにより次回の出金取引に備え、次のステップＳＰ７２へ移って出金処理手順ＲＴ４を終了する。
【０１１０】
［４−２．動作及び効果］
以上の構成において、第４の実施の形態による現金自動預払機３０１の紙幣入出金機３１０は、鑑別部１４により全ての取引紙幣の記番号を読み取り、これらを取引記番号として取引記番号リストＬ１に格納して記憶部３１１Ｍに記憶させる。さらに紙幣入出金機３１０は、紙幣制御部３１１により、各取引記番号を他の取引記番号とそれぞれ比較することで、取引紙幣内において同一記番号が付された紙幣の有無を確認する。
【０１１１】
これにより紙幣入出金機３１０は、第１〜第３の実施の形態と同様、取引紙幣の中に同一の記番号が付されたものが複数含まれていた場合、このことを検知して、これらの取引紙幣が偽券であることを判別できる。
【０１１２】
また紙幣入出金機３１０は、取引紙幣の中に同一記番号の紙幣が複数含まれていた場合、異常対応処理として、偽券を含む全ての取引紙幣を元の紙幣収納庫１６へ搬送して収納させ、利用者に異常が発生したことを通知した上で現金自動預払機３０１全体の運用を停止する。
【０１１３】
これにより紙幣入出金機３１０は、同一の記番号が付されており新たに偽券と判別された紙幣そのものが利用者の手に渡ることを未然に防止できる。これに加えて紙幣入出金機３１０は、この偽券が収納されていた紙幣収納庫１６にさらに同一の記番号が付された偽券が収納されている可能性があるところ、このようなさらなる偽券についても利用者の手に渡ることを未然に防止できる。
【０１１４】
さらに紙幣入出金機３１０は、偽券を元の紙幣収納庫１６に戻した状態、すなわち当該紙幣収納庫１６から繰り出す前に収納されていた状態を保持でき、また記憶部３１１Ｍに取引記番号を記憶しているので、金融機関の職員や保守作業員等に、偽券が収納されていた状態の紙幣収納庫１６を調査させることができる。
【０１１５】
その他の点についても、第４の実施の形態による紙幣入出金機３１０は、第１の実施の形態による紙幣入出金機１０と同様の作用効果を奏し得る。
【０１１６】
以上の構成によれば、第４の実施の形態による現金自動預払機３０１の紙幣入出金機３１０は、各取引紙幣の記番号を読み取って得られた各取引記番号を他の取引記番号と比較することで、取引紙幣内において同一記番号が付された紙幣の有無を確認する。これにより紙幣入出金機３１０は、取引紙幣の中に新たに偽造され同一の記番号が付された偽券が複数含まれていた場合、取引記番号同士の照合処理によりこれが偽券であることを判別でき、全ての取引紙幣を紙幣収納庫１６へ戻した状態で運用を停止することにより利用者への受渡を未然に防ぐと共に、偽券が紙幣収納庫１６に収納されていた状態を金融機関の職員等に容易に調査させることができる。
【０１１７】
［５．第５の実施の形態］
第５の実施の形態による現金自動預払機４０１（図１）は、第１の実施の形態による現金自動預払機１と比較して、紙幣入出金機１０に代わる紙幣入出金機４１０を有する点において相違するものの、他の点については同様に構成されている。紙幣入出金機４１０（図２及び図３）は、第１の実施の形態による紙幣入出金機１０と比較して、紙幣制御部１１に代わる紙幣制御部４１１を有する点において相違するものの、他の点については同様に構成されている。
【０１１８】
紙幣制御部４１１は、第１の実施の形態による紙幣制御部１１と同様、図示しないＣＰＵを中心に構成されており、所定のプログラムを読み出して実行することにより、入金処理や出金処理等、種々の処理を行う。また紙幣制御部４１１は、記憶部１１Ｍに代わる記憶部４１１Ｍを有している。記憶部４１１Ｍは、記憶部１１Ｍと同様、各種プログラムや鑑別情報等の種々の情報を記憶するものの、第１〜第４の実施の形態と一部異なる出金プログラムを記憶している。
【０１１９】
因みに紙幣入出金機４１０は、入金取引において、第１の実施の形態と同様の入金プログラムに従って同様の入金処理を実行する。
【０１２０】
［５−１．出金処理］
次に、紙幣入出金機４１０における紙幣の出金処理について説明する。現金自動預払機４０１において利用者との間で出金取引が行われる場合、紙幣入出金機４１０の紙幣制御部４１１は、記憶部４１１Ｍから出金プログラムを読み出して実行することにより、図４、図７及び図８と対応する図９に示す出金処理手順ＲＴ５を開始してステップＳＰ８１へ移る。
【０１２１】
紙幣制御部４１１は、ステップＳＰ８１〜ＳＰ８８においてステップＳＰ６１〜ＳＰ６８（図８）と同様の処理を行い、次のステップＳＰ８９へ移る。ステップＳＰ８９において紙幣制御部４１１は、取引紙幣を収納した紙幣収納庫１６、すなわち偽券が収納されている紙幣収納庫１６を入金専用に設定し、次のステップＳＰ９０へ移る。
【０１２２】
ステップＳＰ９０において紙幣制御部４１１は、出金可能な紙幣収納庫１６、すなわちステップＳＰ８９において入金専用に設定された紙幣収納庫１６とは異なる紙幣収納庫１６から、ステップＳＰ６２において決定した金種及び枚数の紙幣を順次繰り出す。これと共に紙幣制御部４１１は、搬送部１３により鑑別部１４を経由して入出金部１２へ搬送させ、再度ステップＳＰ８４へ戻ることにより、新たに紙幣収納庫１６から繰り出した紙幣についても他の取引紙幣の記番号と照合させる。
【０１２３】
一方、ステップＳＰ８７において否定結果が得られると、このとき紙幣制御部４１１は、ステップＳＰ５５、ＳＰ５６及びＳＰ５７（図７）と同様の処理を行うことにより、利用者に出金額の取引紙幣を取り出させ、記憶部４１１Ｍに記憶している取引記番号を全て消去した上で、出金処理手順ＲＴ５を終了する。
【０１２４】
［５−２．動作及び効果］
以上の構成において、第５の実施の形態による現金自動預払機４０１の紙幣入出金機４１０は、鑑別部１４により全ての取引紙幣の記番号を読み取り、これらを取引記番号として取引記番号リストＬ１に格納して記憶部４１１Ｍに記憶させる。さらに紙幣入出金機４１０は、紙幣制御部４１１により、各取引記番号を他の取引記番号とそれぞれ比較することで、取引紙幣内において同一記番号が付された紙幣の有無を確認する。
【０１２５】
これにより紙幣入出金機４１０は、第１〜第４の実施の形態と同様、取引紙幣の中に同一の記番号が付されたものが複数含まれていた場合、このことを検知して、これらの取引紙幣が偽券であることを判別できる。
【０１２６】
また紙幣入出金機４１０は、取引紙幣の中に同一記番号の紙幣が複数含まれていた場合、異常対応処理として、偽券を含む全ての取引紙幣を元の紙幣収納庫１６へ搬送して収納させ、
当該紙幣収納庫を入金専用に設定した上で、他の紙幣収納庫１６から新たな紙幣を繰り出させて取引紙幣とし、一連の処理を繰り返す。
【０１２７】
これにより紙幣入出金機４１０は、同一の記番号が付されており新たに偽券と判別された紙幣そのものが利用者の手に渡ることを未然に防止できる。これに加えて紙幣入出金機４１０は、第４の実施の形態と同様、この偽券が収納されていた紙幣収納庫１６にさらに同一の記番号が付された偽券が収納されている可能性があるところ、このようなさらなる偽券についても利用者の手に渡ることを未然に防止できる。
【０１２８】
さらに紙幣入出金機４１０は、偽券を元の紙幣収納庫１６に戻して入金専用とすることで、当該紙幣収納庫１６から繰り出す前に収納されていた状態も保持できるので、第４の実施の形態と同様、金融機関の職員や保守作業員等に、偽券が収納されていた状態の紙幣収納庫１６を調査させることができる。
【０１２９】
そのうえ紙幣入出金機４１０は、他の紙幣収納庫１６から新たな紙幣を繰り出して新たな取引紙幣とすることにより、第３の実施の形態と同様、最終的に出金額に相当する金種及び枚数であり、且つ偽券が含まれない正常な取引紙幣を利用者に出金でき、第１、第２及び第４の実施の形態のように当該利用者に出金取引を再度行わせる必要が無い。
【０１３０】
その他の点についても、第５の実施の形態による紙幣入出金機４１０は、第１の実施の形態による紙幣入出金機１０と同様の作用効果を奏し得る。
【０１３１】
以上の構成によれば、第５の実施の形態による現金自動預払機４０１の紙幣入出金機４１０は、各取引紙幣の記番号を読み取って得られた各取引記番号を他の取引記番号と比較することで、取引紙幣内において同一記番号が付された紙幣の有無を確認する。これにより紙幣入出金機４１０は、取引紙幣の中に新たに偽造され同一の記番号が付された偽券が複数含まれていた場合、取引記番号同士の照合処理によりこれが偽券であることを判別でき、全ての取引紙幣を紙幣収納庫１６へ戻して入金専用とし、他の紙幣収納庫１６から改めて紙幣を繰り出すことにより、利用者に偽券を受け渡すことを未然に防ぎつつ、運用を継続して出金額に応じた正当な紙幣を出金することができる。
【０１３２】
［６．第６の実施の形態］
第６の実施の形態による現金自動預払機５０１（図１）は、第１の実施の形態による現金自動預払機１と比較して、紙幣入出金機１０に代わる紙幣入出金機５１０を有する点において相違するものの、他の点については同様に構成されている。紙幣入出金機５１０（図２及び図３）は、第１の実施の形態による紙幣入出金機１０と比較して、紙幣制御部１１に代わる紙幣制御部５１１を有する点において相違するものの、他の点については同様に構成されている。
【０１３３】
紙幣制御部５１１は、第１の実施の形態による紙幣制御部１１と同様、図示しないＣＰＵを中心に構成されており、所定のプログラムを読み出して実行することにより、入金処理や出金処理等、種々の処理を行う。また紙幣制御部５１１は、記憶部１１Ｍに代わる記憶部５１１Ｍを有している。記憶部５１１Ｍは、記憶部１１Ｍと同様、各種プログラムや鑑別情報等の種々の情報を記憶するものの、第１の実施の形態と一部異なる出金プログラム及び入金プログラムを記憶している。
【０１３４】
［６−１．取引記番号リスト］
この第６の実施の形態では、取引記番号リストＬ１では無く、図５と対応する図１０に示すように、紙幣入出金機５１０（図２）に設けられた４個の紙幣収納庫１６（１６Ａ〜１６Ｄ）とそれぞれ対応して、４個の取引記番号リストＬ２（Ｌ２Ａ〜Ｌ２Ｄ）が記憶部５１１Ｍに記憶されている。
【０１３５】
取引記番号リストＬ２は、第１の実施の形態による取引記番号リストＬ１（図５）と同様、取引記番号（すなわち取引紙幣の記番号）が格納される。ただし取引記番号リストＬ２には、現金自動預払機５０１と利用者との間で出金取引が行われる度に、すなわち紙幣入出金機５１０が出金処理を行う度に、取引記番号が消去されること無く追加されていく。換言すれば、取引記番号リストＬ２には、現在及び過去の取引における取引記番号が格納されている。
【０１３６】
また他の観点から見れば、取引記番号リストＬ２は、現在までに紙幣収納庫１６から繰り出された紙幣の記番号が記録されていることになる。このため、仮にこれらの取引記番号と同一の記番号が付された紙幣が今後繰り出された場合、この記番号が付された紙幣は偽券である可能性が高い。
【０１３７】
因みに取引記番号リストＬ２には、各紙幣の金種を表す情報が格納されない。これは、各紙幣収納庫１６に収納すべき紙幣の金種が予め割り当てられており、１の取引記番号リストＬ２に取引記番号が格納される取引紙幣の金種が全て同一となるためである。
【０１３８】
また紙幣入出金機５１０は、筐体における各紙幣収納庫１６の装着箇所にそれぞれ所定のセンサ（図示せず）が設けられている。このセンサは、紙幣収納庫１６が当該筐体から取り外されたことや当該筐体に装着されていること等を検知し、その検知結果を紙幣制御部５１１へ通知する。
【０１３９】
紙幣制御部５１１は、このセンサからの通知を基に、筐体から紙幣収納庫１６が取り外されたことを認識すると、この紙幣収納庫１６と対応付けられている取引記番号リストＬ２を初期化し、格納されている取引記番号を全て消去する。すなわち紙幣制御部５１１は、紙幣収納庫１６から一度繰り出された紙幣が流通過程を経て当該紙幣収納庫１６に再度収納される可能性がある場合に、取引記番号リストＬ２を初期化することになる。
【０１４０】
また紙幣制御部５１１は、入金取引において利用者から入金された全ての紙幣を鑑別部１４により鑑別させており、得られた鑑別結果を基に、各紙幣の記番号も認識している。このとき紙幣制御部５１１は、入金された紙幣の記番号を取引記番号リストＬ２の取引記番号と照合し、一致した場合にはこの取引記番号を当該取引記番号リストＬ２から消去する。これにより取引記番号リストＬ２は、紙幣収納庫１６から確実に繰り出された紙幣の記番号のみが格納されることになる。
【０１４１】
このように紙幣制御部５１１は、４個の紙幣収納庫１６とそれぞれ対応する４個の取引記番号リストＬ２を記憶部５１１Ｍに記憶させ、出金取引が行われる度に取引記番号を追加する一方、筐体からの紙幣収納庫１６の着脱及び入金取引が行われる際に、取引記番号リストＬ２の初期化や取引記番号の消去を行うようになっている。
【０１４２】
［６−２．出金処理］
次に、紙幣入出金機５１０における紙幣の出金処理について説明する。現金自動預払機５０１において利用者との間で出金取引が行われる場合、紙幣入出金機５１０の紙幣制御部５１１は、記憶部５１１Ｍから出金プログラムを読み出して実行することにより、図４と対応する図１１に示す出金処理手順ＲＴ６を開始してステップＳＰ１０１へ移る。
【０１４３】
紙幣制御部５１１は、ステップＳＰ１０１〜ＳＰ１０４においてステップＳＰ１〜ＳＰ４（図４）と同様の処理を行い、次のステップＳＰ１０５へ移る。ステップＳＰ１０５において紙幣制御部５１１は、全ての取引紙幣の記番号を取引記番号として取引記番号リストＬ２（図１０）に追加して格納し、この取引記番号リストＬ２を記憶部５１１Ｍに記憶させて、次のステップＳＰ１０６へ移る。
【０１４４】
ステップＳＰ１０６において紙幣制御部５１１は、照合部１１Ｃにより、各取引紙幣の記番号（すなわち取引記番号）を、取引記番号リストＬ２に格納された他の全ての取引記番号とそれぞれ照合し、次のステップＳＰ１０７へ移る。これにより紙幣制御部５１１は、入出金部１２に収納している各取引紙幣の記番号を、これまで同一の紙幣収納庫１６から繰り出した全ての紙幣の記番号及び現在入出金部１２に収納している他の全ての取引紙幣の記番号とそれぞれ比較することになる。
【０１４５】
その後紙幣制御部５１１は、ステップＳＰ１０７〜ＳＰ１１０において、ステップＳＰ７〜ＳＰ１０（図４）とそれぞれ同様の処理を行い、次のステップＳＰ１１１へ移って出金処理手順ＲＴ６を終了する。すなわち紙幣制御部５１１は、出金処理手順ＲＴ６においてステップＳＰ１１（図４）に相当する処理を行わないため、記憶部５１１Ｍの取引記番号リストＬ２に記憶している取引記番号を次回以降の出金取引における照合処理で利用できる。
【０１４６】
［６−３．動作及び効果］
以上の構成において、第６の実施の形態による現金自動預払機５０１の紙幣入出金機５１０は、鑑別部１４により全ての取引紙幣の記番号を読み取り、これらを新たな取引記番号として取引記番号リストＬ２（図１０）に追加して記憶部５１１Ｍに記憶させる。さらに紙幣入出金機５１０は、紙幣制御部５１１により、各取引記番号を他の取引記番号とそれぞれ比較することで、紙幣収納庫１６からこれまでに繰り出された紙幣を対象として同一記番号が付された紙幣の有無を確認する。
【０１４７】
これにより紙幣入出金機５１０は、現在の取引紙幣に加えて過去の取引紙幣も含めて、すなわち第１〜第５の実施の形態よりも広い範囲で、取引紙幣の記番号が他と一致するか否かを基に、この取引紙幣が偽券であるか否かを判別できる。
【０１４８】
例えば紙幣入出金機５１０は、紙幣収納庫１６に同一の記番号が付された紙幣（すなわち偽券）が複数収納されており、これらが複数回の出金取引に分かれて繰り出される場合にも、記番号を基に当該紙幣が偽券であることを検知できるので、第１〜第５の実施の形態と比較して、偽券の検知精度をさらに高めることができる。
【０１４９】
ところで紙幣入出金機５１０では、例えば筐体から紙幣収納庫１６が取り外されて金融機関の職員等により紙幣が装填された際に、この紙幣収納庫１６から過去の出金取引において出金され取引記番号リストＬ２に記番号が記憶された紙幣が、その後の流通過程を経て偶然に当該紙幣収納庫１６に再び装填されることが起こり得る。
【０１５０】
この点において紙幣入出金機５１０は、記憶部５１１Ｍに記憶している取引記番号リストＬ２の管理として、紙幣収納庫１６が筐体から取り外された際に、当該取引記番号リストＬ２を初期化して全ての取引記番号を消去する。これにより紙幣入出金機５１０は、このような紙幣を誤って偽券と判断することを未然に防止できる。
【０１５１】
また紙幣入出金機５１０は、例えば利用者との出金取引において紙幣を出金し、当該利用者が引き続きこの紙幣を使って振込等の入金取引を行う場合が起こり得る。この場合、取引記番号リストＬ２には、出金取引において紙幣収納庫１６から繰り出された取引紙幣の記番号が、取引記番号として格納されている。また紙幣入出金機５１０では、入金取引において入金された紙幣は、紙幣収納庫１６に収納され、再利用されてその後の出金取引で出金される。そうすると紙幣入出金機５１０では、このように再び取引紙幣として出金される紙幣の記番号が、取引記番号リストＬ２に格納されている取引記番号と一致してしまうため、正常な紙幣であるにも拘わらず、偽券と判別されるおそれがある。
【０１５２】
この点において紙幣入出金機５１０は、記憶部５１１Ｍに記憶している取引記番号リストＬ２の管理として、入金取引において入金された紙幣の記番号が取引記番号リストＬ２に格納している取引記番号と一致した場合には、この取引記番号を取引記番号リストＬ２から消去する。これにより紙幣入出金機５１０は、このように出金後に入金されて再度出金される紙幣についても、誤って偽券と判断することを未然に防止できる。
【０１５３】
その他の点についても、第６の実施の形態による紙幣入出金機５１０は、第１の実施の形態による紙幣入出金機１０と同様の作用効果を奏し得る。
【０１５４】
以上の構成によれば、第６の実施の形態による現金自動預払機５０１の紙幣入出金機５１０は、取引紙幣の記番号を読み取って得られた各取引記番号を、紙幣収納庫１６からこれまでに繰り出した紙幣の記番号である取引記番号と比較することで、これらの紙幣の間で同一記番号の有無を確認する。これにより紙幣入出金機５１０は、現在の取引紙幣の中に、又は過去の取引紙幣との間で、新たに偽造され同一の記番号が付された偽券が複数含まれていた場合、これが偽券であることを判別でき、この偽券を含む全ての取引紙幣をリジェクト庫１７へ収納することで、利用者への受渡を未然に防ぐことができる。
【０１５５】
［７．第７の実施の形態］
第７の実施の形態による現金自動預払機６０１（図１）は、第１の実施の形態による現金自動預払機１と比較して、紙幣入出金機１０に代わる紙幣入出金機６１０を有する点において相違するものの、他の点については同様に構成されている。紙幣入出金機６１０（図２及び図３）は、第１の実施の形態による紙幣入出金機１０と比較して、紙幣制御部１１に代わる紙幣制御部６１１を有する点において相違するものの、他の点については同様に構成されている。
【０１５６】
紙幣制御部６１１は、第１の実施の形態による紙幣制御部１１と同様、図示しないＣＰＵを中心に構成されており、所定のプログラムを読み出して実行することにより、入金処理や出金処理等、種々の処理を行う。また紙幣制御部６１１は、記憶部１１Ｍに代わる記憶部６１１Ｍを有している。記憶部６１１Ｍは、記憶部１１Ｍと同様、各種プログラムや鑑別情報等の種々の情報を記憶するものの、第１の実施の形態と一部異なる出金プログラム及び入金プログラムを記憶している。
【０１５７】
因みに紙幣入出金機６１０は、出金取引において、第１の実施の形態と同様の出金プログラムに従って同様の出金処理を実行する。
【０１５８】
［７−１．入金処理］
次に、紙幣入出金機６１０における紙幣の入金処理について説明する。現金自動預払機６０１において利用者との間で入金取引が行われる場合、紙幣入出金機６１０の紙幣制御部６１１は、記憶部６１１Ｍから入金プログラムを読み出して実行することにより、図１２に示す入金処理手順ＲＴ７を開始してステップＳＰ１２１へ移る。
【０１５９】
ステップＳＰ１２１において紙幣制御部６１１は、入出金部１２のシャッタ１２Ｂを開放して利用者に紙幣を収容器１２Ａ内へ投入させる。さらに紙幣制御部６１１は、主制御部９（図３）と連携しながら操作表示部６を介して紙幣の読取を開始する入力指示を受け付けると、シャッタ１２Ｂを閉塞して次のステップＳＰ１２２へ移る。因みにこの実施の形態では、このとき収容器１２Ａに投入された紙幣を取引紙幣と呼ぶ。
【０１６０】
ステップＳＰ１２２において紙幣制御部６１１は、入出金部１２の収容器１２Ａに投入された取引紙幣を搬送部１３により鑑別部１４を経由して一時保留部１５へ搬送させ、次のステップＳＰ１２３へ移る。ステップＳＰ１２３において紙幣制御部６１１は、鑑別部１４により搬送中の紙幣を順次鑑別させてその鑑別結果を取得し、記番号を読み取った上で、次のステップＳＰ１２４へ移る。
【０１６１】
因みにこのとき紙幣制御部６１１は、このとき複数の紙幣が重なって搬送された（すなわち重送された）紙幣のように正常と判別できなかった紙幣を入金リジェクト紙幣として再び入出金部１２へ搬送し、利用者へ返却させる。また紙幣制御部６１１は、偽券と判別された紙幣、すなわち紙幣制御部６１１が予め記憶している偽券記番号リストと記番号が一致した紙幣については、偽券収納庫１９へ搬送させる。
【０１６２】
ステップＳＰ１２４において紙幣制御部６１１は、ステップＳＰ５（図４）と同様、全ての取引紙幣の記番号を取引記番号として取引記番号リストＬ１（図５）に格納し、この取引記番号リストＬ１を記憶部６１１Ｍに記憶させて、次のステップＳＰ１２５へ移る。
【０１６３】
ステップＳＰ１２５において紙幣制御部６１１は、ステップＳＰ６（図４）と同様、照合部１１Ｃにより、各取引記番号を取引記番号リストＬ１に格納している他の全ての取引記番号とそれぞれ照合し、次のステップＳＰ１２６へ移る。これにより紙幣制御部６１１は、やはり第１の実施の形態と同様、入出金部１２に収納している各取引紙幣の記番号を、他の全ての取引紙幣の記番号とそれぞれ比較することになる。
【０１６４】
ステップＳＰ１２６において紙幣制御部６１１は、ステップＳＰ７（図４）と同様、取引記番号の中に他の取引記番号と同一の記番号があったか否か、すなわち取引紙幣の中に互いに同一の記番号が付されたものが含まれていたか否かを判定する。
【０１６５】
ここで肯定結果が得られると、このことは、この同一の記番号が付された取引紙幣が偽券であるため、この取引紙幣を次回以降の出金取引において再利用すべきで無く、また犯罪の早期解決や抑止の観点からこの取引紙幣を利用者へ返却するべきでも無いことを意味している。このとき紙幣制御部１１は、次のステップＳＰ１２７へ移る。
【０１６６】
ステップＳＰ１２７において紙幣制御部６１１は、一時保留部１５から全ての取引紙幣を
搬送部１３により入出金部１２へ搬送させ、次のステップＳＰ１２８へ移る。ステップＳＰ１２８において紙幣制御部６１１は、図示しない通信処理部を介して所定の情報を送信することにより金融機関の職員や警備員等に取引紙幣を偽券と判別した旨を通知すると共に、主制御部９（図２）と連携して現金自動預払機６０１の運用、すなわち全ての取引処理を停止して次のステップＳＰ１３０へ移る。
【０１６７】
一方、ステップＳＰ１２６において否定結果が得られると、このことは全ての取引紙幣の記番号が互いに相違しており、少なくとも記番号の観点からは偽券である可能性が無いことを表している。このとき紙幣制御部６１１は、次のステップＳＰ１２９へ移る。
【０１６８】
ステップＳＰ１２９において紙幣制御部６１１は、一時保留部１５に収納している紙幣を１枚ずつ鑑別部１４へ搬送して再度鑑別させ、その鑑別結果を基に金種や損傷の程度を判別した上で、金種ごとの紙幣収納庫１６又はリジェクト庫１７へ搬送させ、次のステップＳＰ１３０へ移る。
【０１６９】
ステップＳＰ１３０において紙幣制御部６１１は、ステップＳＰ１１（図４）と同様、取引記番号リストＬ１（図５）に格納した状態で記憶部６１１Ｍに記憶している取引記番号を全て消去することにより次回の入金取引に備え、次のステップＳＰ１３１へ移って入金処理手順ＲＴ７を終了する。
【０１７０】
［７−２．動作及び効果］
以上の構成において、第７の実施の形態による現金自動預払機６０１の紙幣入出金機６１０は、鑑別部１４により全ての取引紙幣の記番号を読み取り、これらを取引記番号として取引記番号リストＬ１に格納して記憶部６１１Ｍに記憶させる。さらに紙幣入出金機６１０は、紙幣制御部６１１により、各取引記番号を他の取引記番号とそれぞれ比較することで、取引紙幣内において同一記番号が付された紙幣の有無を確認する。
【０１７１】
これにより紙幣入出金機６１０は、入金取引においても、第１の実施の形態と同様、取引紙幣の中に同一の記番号が付されたものが複数含まれていた場合、このことを検知して、これらの取引紙幣が偽券であることを判別できる。
【０１７２】
また紙幣入出金機６１０は、取引紙幣の中に同一記番号の紙幣が複数含まれていた場合、金融機関の職員や警備員等へ通知すると共に、直ちに現金自動預払機６０１の運用を停止する。これにより紙幣入出金機６１０は、金融機関の職員や警備員から利用者に説明を求める等、偽券を利用した犯罪の解決や抑止に繋げることができる。
【０１７３】
さらに紙幣入出金機６１０は、取引紙幣の中に同一記番号の紙幣が複数含まれていた場合、全ての紙幣を入出金部１２へ搬送してシャッタ１２Ｂを閉塞したままとする。これにより紙幣入出金機６１０は、偽券を含む取引紙幣を利用者に返却すること無く、犯罪の証拠として保全することができ、且つ金融機関の職員等の操作によりシャッタ１２Ｂを開放させるだけで、取引紙幣を直ちに取り出させることができる。
【０１７４】
また紙幣入出金機６１０は、第１の実施の形態と同様、１回の取引処理における全ての取引紙幣についてのみ互いの記番号を照合するため、照合対象となる記番号の数を比較的少なく抑え、その照合処理を比較的短い時間で完了することができる。
【０１７５】
さらに紙幣入出金機６１０は、入金された紙幣の記番号が偽券記番号リストと一致した場合、当該紙幣を予め偽券と判別して偽券収納庫１９に収納させて他の紙幣とは明確に区別し、これを取引紙幣とはしない。このため紙幣入出金機６１０は、第１の実施の形態と同様、偽券記番号リストに格納されている、既に偽券と判別している紙幣の記番号を取引記番号リストＬ１に重複して格納することが無く、紙幣制御部６１１により重複した照合処理を行わずに済む。
【０１７６】
以上の構成によれば、第７の実施の形態による現金自動預払機６０１の紙幣入出金機６１０は、取引紙幣の記番号を読み取って得られた各取引記番号を他の取引記番号と比較することで、取引紙幣内において同一記番号が付された紙幣の有無を確認する。これにより紙幣入出金機６１０は、取引紙幣の中に新たに偽造され同一の記番号が付された偽券が複数含まれていた場合、その記番号と偽券記番号リストとの照合処理ではこれを偽券と判別できないものの、取引記番号同士の照合処理によりこれが偽券であることを判別でき、現金自動預払機６０１の運用を停止させることで、再利用されて他の利用者へ出金されることを未然に防止できる。
【０１７７】
［８．第８の実施の形態］
第８の実施の形態による現金自動預払機７０１（図１）は、第７の実施の形態による現金自動預払機６０１と比較して、紙幣入出金機６１０に代わる紙幣入出金機７１０を有する点において相違するものの、他の点については同様に構成されている。紙幣入出金機７１０（図２及び図３）は、第７の実施の形態による紙幣入出金機６１０と比較して、紙幣制御部６１１に代わる紙幣制御部７１１を有する点において相違するものの、他の点については同様に構成されている。
【０１７８】
紙幣制御部７１１は、第７の実施の形態による紙幣制御部６１１と同様、図示しないＣＰＵを中心に構成されており、所定のプログラムを読み出して実行することにより、入金処理や出金処理等、種々の処理を行う。また紙幣制御部７１１は、記憶部６１１Ｍに代わる記憶部７１１Ｍを有している。記憶部７１１Ｍは、記憶部６１１Ｍと同様、各種プログラムや鑑別情報等の種々の情報を記憶するものの、第７の実施の形態と一部異なる出金プログラム及び入金プログラムを記憶している。
【０１７９】
［８−１．取引記番号リスト］
この第８の実施の形態では、第６の実施の形態と同様、紙幣入出金機７１０（図２）に設けられた４個の紙幣収納庫１６（１６Ａ〜１６Ｄ）とそれぞれ対応して、４個の取引記番号リストＬ２（Ｌ２Ａ〜Ｌ２Ｄ）が記憶部７１１Ｍに記憶されている。
【０１８０】
取引記番号リストＬ２には、入金取引における取引記番号（すなわち取引紙幣の記番号）が格納される。また取引記番号リストＬ２には、現金自動預払機７０１と利用者との間で入金取引が行われる度に、すなわち紙幣入出金機７１０が入金処理を行う度に、取引記番号が消去されること無く追加されていく。換言すれば、取引記番号リストＬ２には、第６の実施の形態と同様に、現在及び過去の取引における取引記番号が格納されている。
【０１８１】
また他の観点から見れば、取引記番号リストＬ２は、現在までに紙幣収納庫１６に収納された紙幣の記番号が記録されていることになる。このため、仮にこれらの取引記番号と同一の記番号が付された紙幣が今後収納された場合、この記番号が付された紙幣は偽券である可能性が高い。
【０１８２】
また紙幣入出金機７１０は、第６の実施の形態による紙幣入出金機５１０と同様、筐体における各紙幣収納庫１６の装着箇所にそれぞれ所定のセンサ（図示せず）が設けられている。このセンサは、紙幣収納庫１６が当該筐体から取り外されたことや当該筐体に装着されていること等を検知し、その検知結果を紙幣制御部７１１へ通知する。
【０１８３】
紙幣制御部７１１は、このセンサからの通知を基に、筐体から紙幣収納庫１６が取り外されたことを認識すると、この紙幣収納庫１６と対応付けられている取引記番号リストＬ２を初期化し、格納されている取引記番号を全て消去する。すなわち紙幣制御部７１１は、紙幣収納庫１６に一度収納された紙幣が金融機関の職員等により取り出され、流通過程を経て当該紙幣収納庫１６に再度収納される可能性がある場合に、取引記番号リストＬ２を初期化することになる。
【０１８４】
また紙幣制御部７１１は、出金取引において利用者から入金された全ての紙幣を鑑別部１４により鑑別しており、各紙幣の記番号も認識している。このとき紙幣制御部７１１は、出金した紙幣の記番号を取引記番号リストＬ２に格納している取引記番号と照合し、一致した場合にはこの記番号を取引記番号リストＬ２から消去する。これにより取引記番号リストＬ２は、紙幣収納庫１６に確実に収納されている紙幣の記番号のみが格納されることになる。
【０１８５】
このように紙幣制御部７１１は、４個の紙幣収納庫１６とそれぞれ対応する４個の取引記番号リストＬ２を記憶部７１１Ｍに記憶させ、入金取引が行われる度に取引記番号を追加する一方、筐体からの紙幣収納庫１６の着脱及び出金取引が行われる際に、取引記番号リストＬ２の初期化や取引記番号の消去を行うようになっている。
【０１８６】
［８−２．入金処理］
次に、紙幣入出金機７１０における紙幣の入金処理について説明する。現金自動預払機７０１において利用者との間で入金取引が行われる場合、紙幣入出金機７１０の紙幣制御部７１１は、記憶部７１１Ｍから入金プログラムを読み出して実行することにより、図１３に示す入金処理手順ＲＴ８を開始してステップＳＰ１４１へ移る。
【０１８７】
紙幣制御部７１１は、ステップＳＰ１４１〜ＳＰ１４３においてステップＳＰ１２１〜ＳＰ１２３（図１２）と同様の処理を行い、次のステップＳＰ１４４へ移る。ステップＳＰ１４４において紙幣制御部７１１は、全ての取引紙幣の記番号を取引記番号として取引記番号リストＬ２（図１０）に追加して格納し、この取引記番号リストＬ２を記憶部７１１Ｍに記憶させて、次のステップＳＰ１４５へ移る。
【０１８８】
ステップＳＰ１４５において紙幣制御部７１１は、照合部１１Ｃにより、各取引記番号（すなわち各取引紙幣の記番号）を、取引記番号リストＬ２に格納された他の全ての取引記番号とそれぞれ照合し、次のステップＳＰ１４６へ移る。これにより紙幣制御部７１１は、一時保留部１５に収納している各取引紙幣の記番号を、これまで紙幣収納庫１６に収納した全ての紙幣の記番号及び現在一時保留部１５に収納している他の全ての取引紙幣の記番号とそれぞれ比較することになる。
【０１８９】
その後紙幣制御部７１１は、ステップＳＰ１４６〜ＳＰ１４９において、ステップＳＰ１２６〜ＳＰ１２９（図１２）とそれぞれ同様の処理を行い、次のステップＳＰ１５１へ移って入金処理手順ＲＴ８を終了する。すなわち紙幣制御部７１１は、入金処理手順ＲＴ８においてステップＳＰ１３０（図１２）に相当する処理を行わないため、記憶部７１１Ｍの取引記番号リストＬ２に記憶している取引記番号を次回以降の入金取引における照合処理で利用できる。
【０１９０】
［８−３．動作及び効果］
以上の構成において、第８の実施の形態による現金自動預払機７０１の紙幣入出金機７１０は、鑑別部１４により全ての取引紙幣の記番号を読み取り、これらを新たな取引記番号として取引記番号リストＬ２（図１０）に追加して記憶部７１１Ｍに記憶させる。さらに紙幣入出金機７１０は、紙幣制御部７１１により、各取引記番号を他の取引記番号とそれぞれ比較することで、これまでに紙幣収納庫１６に収納された紙幣を対象として同一記番号が付された紙幣の有無を確認する。
【０１９１】
これにより紙幣入出金機７１０は、現在の取引紙幣に加えて過去の取引紙幣も含めて、すなわち第７の実施の形態よりも広い範囲で、取引紙幣の記番号が他と一致するか否かを基に、この取引紙幣が偽券であるか否かを判別することができる。
【０１９２】
すなわち紙幣入出金機７１０は、同一の記番号が付された紙幣（すなわち偽券）が複数の入金取引に分かれて投入される場合にも、記番号同士の照合結果を基に当該紙幣が偽券であることを検知できるので、第７の実施の形態と比較して、偽券の検知精度をさらに高めることができる。
【０１９３】
また紙幣入出金機７１０は、第６の実施の形態と同様、記憶部７１１Ｍに記憶している取引記番号リストＬ２の管理として、紙幣収納庫１６が筐体から取り外された際に、当該取引記番号リストＬ２を初期化して全ての取引記番号を消去する。これにより紙幣入出金機７１０は、過去の入金取引において入金された紙幣が流通過程を経て再び入金された場合に誤って偽券と判断することを未然に防止できる。
【０１９４】
さらに紙幣入出金機７１０は、記憶部７１１Ｍに記憶している取引記番号リストＬ２の管理として、出金取引において出金された紙幣の記番号が取引記番号リストＬ２に格納している取引記番号と一致した場合には、この取引記番号を取引記番号リストＬ２から消去する。これにより紙幣入出金機７１０は、入金後に出金されて再度入金される紙幣についても、誤って偽券と判断することを未然に防止できる。
【０１９５】
その他の点についても、第８の実施の形態による紙幣入出金機７１０は、第７の実施の形態による紙幣入出金機６１０と同様の作用効果を奏し得る。
【０１９６】
以上の構成によれば、第８の実施の形態による現金自動預払機７０１の紙幣入出金機７１０は、取引紙幣の記番号を読み取って得られた各取引記番号を、紙幣収納庫１６にこれまで収納した紙幣の記番号である取引記番号と比較することで、これらの紙幣の間で同一記番号の有無を確認する。これにより紙幣入出金機７１０は、取引紙幣の中に、又は過去の取引紙幣との間で、新たに偽造され同一の記番号が付された偽券が複数含まれていた場合、これが偽券であることを判別でき、現金自動預払機７０１の運用を停止させることで、再利用されて他の利用者へ出金されることを未然に防止できる。
【０１９７】
［９．他の実施の形態］
なお上述した第１〜第５及び第７の実施の形態においては、現在の出金取引又は入金取引における全ての取引紙幣を対象とし、第６の実施の形態においては、現在の取引紙幣及び紙幣収納庫１６から過去に繰り出した取引紙幣を対象とし、第８の実施の形態においては、現在の取引紙幣及び紙幣収納庫１６へ過去に収納した取引紙幣を対象として、記番号を照合する場合について述べた。
【０１９８】
しかしながら本発明はこれに限らず、例えば照合処理に要する時間等を考慮して、過去５回分の出金取引又は入金取引における全ての取引紙幣を対象とし、或いは直近の５００枚の出金取引又は入金取引における取引紙幣を対象とする等、種々の範囲の取引紙幣を対象として記番号を照合しても良い。この場合、少なくとも現在の取引紙幣を全て含む範囲であることが望ましい。
【０１９９】
また上述した第１の実施の形態においては、取引紙幣に同一の記番号が付された紙幣が含まれていた場合、異常対応処理として、全ての取引紙幣をリジェクト庫１７へ搬送する場合について述べた。しかしながら本発明はこれに限らず、異常対応処理として、例えば偽券収納庫１９や予め専用に割り当てた１個の紙幣収納庫１６等、他の種々の収納庫に収納しても良い。要は、取引紙幣を正常な紙幣と明確に区別し得る状態で収納できれば良い。第２及び第３の実施の形態における同一記番号の紙幣（すなわち偽券）の収納箇所についても同様である。さらには、第７の実施の形態と同様に、全ての取引紙幣を入出金部１２へ搬送して現金自動預払機１の運用を停止しても良い。第２〜第６の実施の形態についても同様である。
【０２００】
さらに上述した第１の実施の形態においては、偽券記番号リストを用いた偽券の判別処理を行い、偽券を取引紙幣から除外した後で取引記番号リストＬ１に取引記番号を格納することにより、当該取引記番号リストＬ１に偽券記番号リストと重複した記番号を格納しない場合について述べた。しかしながら本発明はこれに限らず、例えば取引記番号が偽券記番号リストに登録されていたとしても、当該取引記番号（すなわち偽券であることが判明している紙幣の記番号）を敢えて取引記番号リストＬ１に格納して照合処理を行うようにしても良い。この場合、偽券をより確実に判別することができる。第２〜第８の実施の形態についても同様である。
【０２０１】
さらに上述した第１の実施の形態においては、取引紙幣に同一の記番号が付された紙幣が含まれていた場合、紙幣を出金すること無く出金取引を終了し、利用者に出金取引の手続きを最初からやり直させる場合について述べた。しかしながら本発明はこれに限らず、例えば取引紙幣に同一の記番号が付された紙幣が含まれていた場合、全ての取引紙幣をリジェクト庫１７へ搬送した後、再び出金額の紙幣を紙幣収納庫１６から繰り出して同様の処理を繰り返すことで、最終的に出金額の紙幣を出金するようにしても良い。第２の実施の形態についても同様である。
【０２０２】
さらに上述した第６の実施の形態においては、紙幣を繰り出した紙幣収納庫１６（例えば１６Ａ）と対応付けられている取引記番号リストＬ２（例えばＬ２Ａ）の取引記番号を対象として照合処理を行う場合について述べた。しかしながら本発明はこれに限らず、例えば当該取引紙幣と同一金種の紙幣が収納される他の紙幣収納庫１６Ｂと対応付けられている取引記番号リストＬ２Ｂの取引記番号を対象に加えて、照合処理を行っても良い。第８の実施の形態についても同様である。
【０２０３】
さらに上述した第６の実施の形態においては、取引紙幣に同一の記番号が付された紙幣が含まれていた場合、異常対応処理として、第１の実施の形態と同様に全ての取引紙幣をリジェクト庫１７に収納する場合について述べた。しかしながら本発明はこれに限らず、異常対応処理として、例えば第２の実施の形態と同様に、同一の記番号が付された取引紙幣のみを偽券収納庫１９へ搬送すると共に他の取引紙幣を紙幣収納庫１６へ戻しても良く、或いは第３の実施の形態と同様に、出金額に対する不足額分の紙幣を紙幣収納庫１６から追加的に繰り出して最終的に出金額の取引紙幣を利用者に出金するようにしても良い。
【０２０４】
さらに上述した第６の実施の形態においては、各紙幣収納庫１６から繰り出した紙幣の記番号を取引記番号リストＬ２に格納し、また第８の実施の形態においては、各紙幣収納庫１６に収納された紙幣の記番号を取引記番号リストＬ２に格納した場合について述べた。しかしながら本発明はこれに限らず、例えば第６及び第８の実施の形態を組み合わせても良い。この場合、繰り出した紙幣の記番号を格納するための繰出取引記番号リストＬ２と、収納された紙幣の記番号を格納するための収納取引記番号リストＬ２とを互いに独立に用意すれば良い。
【０２０５】
さらに上述した第７の実施の形態においては、取引紙幣に同一の記番号が付された紙幣が含まれていた場合、異常対応処理として、全ての取引紙幣を入出金部１２へ搬送する場合について述べた。しかしながら本発明はこれに限らず、異常対応処理として、例えば第１の実施の形態と同様、全ての取引紙幣をリジェクト庫１７や偽券収納庫１９等の種々の箇所へ搬送して収納させても良い。第８の実施の形態についても同様である。
【０２０６】
さらに上述した第７の実施の形態においては、取引紙幣に同一の記番号が付された紙幣が含まれていた場合、異常対応処理として、全ての取引紙幣を入出金部１２へ搬送して現金自動預払機６０１の運用を停止する場合について述べた。しかしながら本発明はこれに限らず、異常対応処理として、例えば第１の実施の形態と同様、全ての取引紙幣をリジェクト庫１７へ搬送して運用を継続しても良く、或いは第２の実施の形態と同様に同一の記番号が付された紙幣（すなわち偽券）を偽券収納庫１９へ収納させる一方、他の正常な紙幣を金種ごとの紙幣収納庫１６へ搬送して収納させても良い。第８の実施の形態についても同様である。
【０２０７】
さらに上述した第１の実施の形態においては、出金取引において紙幣収納庫１６から繰り出し入出金部１２へ搬送した取引紙幣を対象として同一記番号の有無を確認する場合について述べた。しかしながら本発明はこれに限らず、例えば入出金部１２から利用者が紙幣を取り出さずに立ち去ってしまった場合、すなわち取忘紙幣が発生した場合に、この取忘紙幣を対象として同一記番号の有無を確認しても良い。第２〜第８の実施の形態についても同様である。
【０２０８】
さらに上述した第１の実施の形態においては、現金自動預払機１において出金取引及び入金取引の双方を行う場合について述べた。しかしながら本発明はこれに限らず、例えば現金自動預払機１において入金取引を行わず、出金取引のみを行うようにしても良い。第２〜第６の実施の形態についても同様である。特に第６の実施の形態においては、入金取引を行わない場合、取引記番号リストＬ２から入金された紙幣の記番号を削除する必要が無い。
【０２０９】
さらに上述した第７の実施の形態においては、現金自動預払機６０１において出金取引及び入金取引の双方を行う場合について述べた。しかしながら本発明はこれに限らず、例えば現金自動預払機６０１において出金取引を行わず、入金取引のみを行うようにしても良い。第８の実施の形態についても同様であり、出金取引を行わない場合、取引記番号リストＬ２から出金された紙幣の記番号を削除する必要が無い。
【０２１０】
さらに上述した第１の実施の形態においては、取引記番号リストＬ１に記番号と共に金種を表す情報を格納する場合について述べた（図５）。しかしながら本発明はこれに限らず、例えば記番号の体系が金種ごとに相違する場合や記番号の一部に金種を表す情報が含まれている場合等に、金種を表す情報を格納しないようにしても良い。第２〜第５及び第７の実施の形態についても同様である。
【０２１１】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０２１２】
さらに上述した第１の実施の形態においては、紙幣入出金機１０の紙幣制御部１１により出金処理を実行する場合について述べた。しかしながら本発明はこれに限らず、例えば主制御部９単独又は当該主制御部９及び紙幣制御部１１の協働により出金処理を実行しても良い。この場合、取引記番号リストＬ１については、紙幣制御部１１の記憶部１１Ｍに限らず、主制御部９の記憶部９Ｍに記憶させても良い。第２〜第８の実施の形態についても同様である。
【０２１３】
さらに上述した第１の実施の形態においては、出金プログラムを紙幣制御部１１の記憶部１１Ｍに予め記憶させる場合について述べた。しかしながら本発明はこれに限らず、例えば主制御部９の記憶部９Ｍに記憶させておいても良く、また図示しないネットワークを介してサーバ等と接続されている場合に、当該サーバ等からダウンロードして取得しても良く、さらには図示しないインタフェースを介してＵＳＢ（Universal Serial Bus）メモリのような着脱型の記憶手段から読み出して取得しても良い。第２〜第８の実施の形態についても同様である。
【０２１４】
さらに上述した第１の実施の形態においては、利用者との間で媒体としての紙幣を取引する現金自動預払機１に本発明を適用した場合について述べた。しかしながら本発明はこれに限らず、例えば金融機関の窓口に設置され紙幣の入金処理や出金処理を行う装置（いわゆるテラーマシン）、両替機や自動販売機、さらには各種金券や証券等であって一意の識別番号が付された媒体を利用者との間で授受する種々の装置に本発明を適用しても良い。第２〜第８の実施の形態についても同様である。
【０２１５】
さらに上述した実施の形態においては、読取部としての鑑別部１４及び紙幣制御部１１と、比較部としての紙幣制御部１１と、異常対応部としての搬送部１３及びリジェクト庫１７とによって媒体取引装置としての紙幣入出金機１０を構成する場合について述べた。しかしながら本発明はこれに限らず、その他種々の構成でなる読取部と、比較部と、異常対応部とによって媒体取引装置を構成するようにしても良い。
【産業上の利用可能性】
【０２１６】
本発明は、紙幣のように一意の識別番号が付された媒体を利用者との間で授受する種々の装置でも利用できる。
【符号の説明】
【０２１７】
１、１０１、２０１、３０１、４０１、５０１、６０１、７０１……現金自動預払機、６……操作表示部、９……主制御部、９Ｃ……照合部、９Ｍ……記憶部、１０、１１０、２１０、３１０、４１０、５１０、６１０、７１０……紙幣入出金機、１１、１１１、２１１、３１１、４１１、５１１、６１１、７１１……紙幣制御部、１１Ｍ、１１１Ｍ、２１１Ｍ、３１１Ｍ、４１１Ｍ、５１１Ｍ、６１１Ｍ、７１１Ｍ……記憶部、１２……入出金部、１３……搬送部、１４……鑑別部、１５……一時保留部、１６……紙幣収納庫、１７……リジェクト庫、１８……取忘収納庫、１９……偽券収納庫、Ｌ１、Ｌ２……取引記番号リスト。
【図１】
2015191330.tif 000003
【図２】
2015191330.tif 000004
【図３】
2015191330.tif 000005
【図４】
2015191330.tif 000006
【図５】
2015191330.tif 000007
【図６】
2015191330.tif 000008
【図７】
2015191330.tif 000009
【図８】
2015191330.tif 000010
【図９】
2015191330.tif 000011
【図１０】
2015191330.tif 000012
【図１１】
2015191330.tif 000013
【図１２】
2015191330.tif 000014
【図１３】
2015191330.tif 000015